(57)【要約】      （修正有）【課題】茶道の基本的な精神を保存しつつ、茶道の実施技術の習得に必要な時間を短縮し、点前の簡単な実施を実現し、予め準備する点前の実施環境も簡単に済むことにより、日本の伝統的文化である茶道の国内外での普及に貢献するための茶道セットを提供する。【解決手段】すくなくとも茶碗、建水、棗、茶杓、茶筅および茶筅筒、振出し、茶巾入れ・花入れ９および扇子から成る茶道具と、これらの茶道具を収納する携帯可能な収納具および収納具に収納される棚板３から構成されており、点前実施時には、箱本体１ａを立てて掛け軸および花を飾り、棚板３、収納具の天板１ｂおよび前板１ｃを設置することにより、通常の茶室の雰囲気を醸成し、容易ではあるが茶道の精神を保存している点前を行うことを可能としている。【選択図】図１１
0003215416.tif 000002
【実用新案登録請求の範囲】
【請求項１】
すくなくとも茶碗、建水、棗、茶杓、茶筅および茶筅筒、振出し、花入れおよび扇子から成る茶道具と、これらの茶道具を収納する携帯可能な収納具から構成されており、上記収納具は直方体の形状をした箱で、背板、底板および左右の側板で成る箱本体と取り外せる前板及び天板によって構成され、収納されている茶道具を容易に取り出すことを可能にしたことを特徴とする茶道セット。
【請求項２】
取り外した前板および天板を、通常の茶道において使用される茶室の構成要素の一部と見立てて使用すること、および箱本体の背板に掛け軸用の突起部を設置し、背板、底板および左右の側板で構成される箱本体を縦に立てることにより、通常の茶室にある掛け軸を掛ける場所および花入れの置き場所を、規模を縮小した形態で提供し、茶道の実施環境を簡便に提供することを特徴とする請求項１記載の茶道セット。
【請求項３】
収納箱の中に専有面積を最小限にして収納出来る、側板付きの取り出すことが可能な棚板を具備し、通常の茶室環境の一部の簡便な代用を可能としたことを特徴とする請求項１に記載の茶道セット。
【請求項４】
収納箱の中に収納される茶道具の占有面積を減少し、収納箱の形状を極小化するために、茶碗と建水を重ね合わせるようにしたことを特徴とする請求項１記載の茶道セット。
【考案の詳細な説明】
【技術分野】
【０００１】本考案は、茶道セットに係り、さらに詳しくは、随意の場所で随意の時間に茶道を楽しむための茶道具を持ち寄り、通常の茶室あるいはそれに類する環境の一部を再現することを可能とし、更に茶道の基本的精神を保存しつつ、収納する茶道具の種類を減少することにより、茶道の実施技術の習得に必要な時間を短縮せしめ、よって日本の伝統的文化である茶道の国内外での普及に貢献できる茶道セットに関するものである。
【背景技術】
【０００２】従来、茶道は日本伝統の文化である五道の一つであって、一服の抹茶を点て、それを供することにより、精神を修養し人との交わりにおける礼儀作法を習得する道であるがため、高い格式と厳格な礼儀作法が存在し、そのため茶道の実施技術の習得に時間を要し、また点前の実施そのものにも比較的長い時間を必要としている。【０００３】また点前を行う場所として求められている茶室あるいはそれに類する環境は、容易に準備できるものではなく、このため気軽に茶道を楽しむのが困難であり、茶道の普及に障害となっている。
【先行技術文献】
【特許文献】
【０００４】
【特許文献１】実用新案登録第３０５００２６号公報
【考案の概要】
【考案が解決しようとする課題】
【０００５】上記特許文献１の簡易茶道具セットは、布製の茶巾袋に茶道具を収納し携行して点前を楽しむというものであるが、茶道の実施環境である茶室あるいはそれに類する環境を用意しなければ、茶道の格式に基づく高い精神性の保持が困難であるという欠点があった。【０００６】本考案は、上記の問題点を解決して、茶道の基本的な精神を保存しつつ、茶道の実施技術の習得に必要な時間を短縮し、点前の簡単な実施を実現し、予め準備する点前の実施環境も簡単に済むことにより、日本の伝統的文化である茶道の国内外での普及に貢献するための茶道具セットを提供することを目的とするものである。
【課題を解決するための手段】
【０００７】上記課題を解決するために、請求項１に記載の本考案は、すくなくとも茶碗、建水、棗、茶杓、茶筅および茶筅筒、振出し、花入れおよび扇子から成る茶道具と、これらの茶道具を収納する携帯可能な収納具および収納具に収納される棚板から構成されており、上記収納具は直方体の形状をした箱で、背板、底板および左右の側板で成る箱本体と取り外せる前板及び天板によって構成され、収納されている茶道具および棚板を容易に取り出すことを可能にしたことを特徴とする茶道セットである。【０００８】請求項２記載の考案は、取り外した前板および天板を、通常の茶道において使用される茶室の構成要素の一部と見立てて使用すること、および箱本体の背板に掛け軸用の突起部を設置し、背板、底板および左右の側板で構成される箱本体を縦に立てることにより、通常の茶室にある掛け軸を掛ける場所および花入れの置き場所を、規模を縮小した形態で提供し、茶道の実施環境を簡便に提供することを特徴とする請求項１記載の茶道セットである。【０００９】請求項３記載の考案は、収納箱の中に専有面積を最小限にして収納出来る、側板付きの取り出すことが可能な棚板を具備し、通常の茶室環境の一部の簡便な代用を可能としたことを特徴とする請求項１に記載の茶道セットである。【００１０】請求項４記載の考案は、収納箱の中に収納される茶道具の占有面積を減少し、収納箱の形状を極小化するために、茶碗と建水を重ね合わせるようにしたことを特徴とする請求項１記載の茶道セットである。
【考案の効果】
【００１１】以上述べたように、請求項１の茶道セットによれば、茶道の基本的精神性を保存しつつ、厳選した茶道具のみによる点前を可能としたことにより、茶道の実施技術の習得時間を短縮し、また携行型の収納具とすることにより、茶道具の携行も容易となり、海外へ渡航する日本人および日本を訪問する外国人による点前の実施も容易となる。また前板および天板を取り外すことにより、箱の中に収納した茶道具が容易に取り出すことが可能となり、かつ取り外した前板および天板を通常の茶道において使用される茶室の構成要素の一部と見立てて使用することにより、点前の実施に要する時間を短縮でき、かつ点前の実施環境の準備も容易となる。【００１２】また請求項２の茶道セットによれば、通常の茶室に準備される掛け軸および生け花を簡便に準備することが可能となり、茶道の基本的精神であるおもてなしの具現化を図ることが可能となる。【００１３】また請求項３の茶道セットによれば、異なった形態ではあるが、通常の茶室環境の一部を近似的に実現可能となり、茶道の基本的精神であるおもてなしの具現化を計ることが可能となる。【００１４】また請求項４の茶道セットによれば、収納具の大きさを縮小することが可能となり、そのため携行が容易となり随意の場所での点前が可能となる。
【図面の簡単な説明】
【００１５】
【図１】本考案による茶道具セットの収納具の斜視図である。
【図２】同収納具より天板と前板を外した状態の斜視図である。
【図３】同収納具の棚板の斜視図である。
【図４】同茶碗・建水セットの斜視図である。
【図５】同棗の斜視図である。
【図６】同茶杓の斜視図である。
【図７】同茶筅セットの断面図である。
【図８】同振出しの斜視図である。
【図９】同茶巾・花入れの斜視図である。
【図１０】同扇子の正面図である。
【図１１】同点前実施時に展開した状態の斜視図である。
【考案を実施するための形態】
【００１６】以下添付図面に基づいて、本考案に係わる茶道セットの実施例を説明する。
【００１７】本考案の茶道セットは、図１に示される木製の収納具の内部に図３の木製の棚板、図４の木製の茶碗および木製の建水、図５の木製の棗、図６の竹製の茶杓、図７の竹製の茶筅および木製の茶筅筒、図８の木製の振出し、図９の木製の花入れおよび図１０の紙および木製の扇子を収納し、茶道セットとして携行が可能となっている。
【００１８】図１の収納具は、その構成要素である天板１ｂと前板１ｃを引き出すことにより、箱本体１ａと分離することが出来る。箱本体１ａには天板１ｂおよび前板１ｃを箱本体１ａに嵌め込み収納具として堅牢にするための溝１ｄおよび１ｅが側板に穿設してある。
【００１９】図１の天板１ｂおよび前板１ｃは、点前の実施時には取り外して、図１１に示すように、点前を行う主人側に置き通常の茶席の畳の代用として使用して、茶席の雰囲気を醸成する。
【００２０】図２に示すように、箱本体１ａの背板には突起部２が突設されており、点前実施時には箱本体１ａを立てて、図１１に示すように通常の茶室における掛け軸の縮小版を掛けて、通常の茶室の雰囲気を醸成する。
【００２１】図３に示す棚板３には、明かり取りとして孔部３ａが穿設してあり、点前実施時には、図１１に示すように点前を行う主人と点前を戴く客との間に置き、通常の茶室の雰囲気を醸成する。
【００２２】図４に示す茶碗４ａおよび建水４ｂの茶碗・建水セット４には、建水４ｂ側に茶碗４ａと重ねることが可能となるように溝が穿設してあり、茶碗４ａと建水４ｂの収納具１内での占有面積を削減している。
【００２３】図９に示す茶巾・花入れ９は、収納具に収納時には茶巾入れとして使用され、点前実施時には図１１に示すように箱本体１ａの側板上に置き花入れとして使用し、通常の茶室の雰囲気を醸成する。
【００２４】図１１は点前実施時の状態を示し、図１１の手前が客側で、奥側が点前を行う主人側である。
【産業上の利用可能性】
【００２５】本考案に係わる茶道セットは、随時に随意の場所で日本文化の伝統的茶道を容易に楽しむことが可能であり、国内での茶道の普及に役立つだけでなく、その容易性から海外での展開も可能であることから世界的に茶道を普及することが可能であり、茶道の普及に依り茶道に関連する業界の発展に寄与する特徴がある。
【符号の説明】
【００２６】１    収納具
１ａ  箱本体
１ｂ  天板
１ｃ  前板
１ｄ  天板用溝
１ｅ  前板用溝
２    掛け軸用突起部
３    棚板
３ａ  明かり取り用孔部
４    茶碗・建水セット
４ａ  茶碗
４ｂ  建水
５    棗
６    茶杓
７    茶筅セット
７ａ  茶筅
７ｂ  茶筅筒
８    振出し
９    茶巾・花入れ
１０  扇子
【図１】
0003215416.tif 000003
【図２】
0003215416.tif 000004
【図３】
0003215416.tif 000005
【図４】
0003215416.tif 000006
【図５】
0003215416.tif 000007
【図６】
0003215416.tif 000008
【図７】
0003215416.tif 000009
【図８】
0003215416.tif 000010
【図９】
0003215416.tif 000011
【図１０】
0003215416.tif 000012
【図１１】
0003215416.tif 000013